(57)【要約】【課題】ユーザの現在位置に関係なく、ユーザの希望するエリアでのバッテリステーションの稼動状況をユーザが簡単に把握できるようにする。【解決手段】ユーザ端末において、管理サーバから配信される情報に基づいて、バッテリステーションの位置をユーザに案内する案内画面を表示し、この案内画面では、ユーザが指定した指定エリアのマップ９１上に、バッテリステーションの位置を示すアイコン９２を、当該バッテリステーションの閉鎖および保守休止を識別可能に重畳したガイドマップが表示される。【選択図】図６
2020179262.tif 000002
【特許請求の範囲】
【請求項１】
バッテリステーションに配置され、ユーザから返却されたバッテリ装置を収容して充電すると共に、返却されたバッテリ装置と交換で充電済みのバッテリ装置をユーザに貸し出す複数のバッテリ交換装置と、
この複数のバッテリ交換装置とネットワークを介して接続されて、前記バッテリ交換装置でのバッテリ装置の交換状況を管理するサーバ装置と、
ユーザが所持し、前記サーバ装置とネットワークを介して接続された端末装置と、
を有するバッテリ管理システムであって、
前記サーバ装置は、
前記端末装置でのユーザの操作に応じて、指定エリアのマップ情報を取得し、
前記指定エリア内に位置する前記バッテリステーションの閉鎖時期および保守休止期間の少なくともいずれかに関する稼動状況情報を取得し、
前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示することを特徴とするバッテリ管理システム。
【請求項２】
前記サーバ装置は、
前記バッテリステーションごとの前記稼動状況情報を蓄積し、
前記バッテリステーションの位置情報に基づいて、前記指定エリア内に位置する前記バッテリステーションの前記稼動状況情報を選択することを特徴とする請求項１に記載のバッテリ管理システム。
【請求項３】
前記サーバ装置は、
前記端末装置でのユーザの操作に応じて、指定日時に関する情報を取得し、
前記指定日時に基準にした前記バッテリステーションの開設状況を反映した表示形態で前記定型画像を表示することを特徴とする請求項１または請求項２に記載のバッテリ管理システム。
【請求項４】
前記サーバ装置は、
前記指定日時が前記閉鎖時期以降である場合、または、前記指定日時が前記保守休止期間内である場合に、前記定型画像の表示形態を変更することを特徴とする請求項３に記載のバッテリ管理システム。
【請求項５】
前記定型画像の表示形態の変更は、表示色、点滅、文字の付加、および図形の付加の少なくともいずれかであることを特徴とする請求項４に記載のバッテリ管理システム。
【請求項６】
サーバ装置において、ユーザがバッテリ装置の交換を行うバッテリステーションおよびバッテリ装置を管理するバッテリ管理方法であって、
ユーザが所持する端末装置でのユーザの操作に応じて、指定エリアのマップ情報を取得し、
前記指定エリア内に位置する前記バッテリステーションの閉鎖時期および保守休止期間の少なくともいずれかに関する稼動状況情報を取得し、
前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示することを特徴とするバッテリ管理方法。
【請求項７】
ユーザが所持し、サーバ装置とネットワークを介して接続された端末装置であって、
前記サーバ装置から配信される情報に基づいて、バッテリステーションの位置をユーザに案内する案内画面を表示し、
前記案内画面は、ユーザが指定した指定エリアのマップ上に、前記バッテリステーションの位置を示す定型画像を、当該バッテリステーションの閉鎖および保守休止の少なくともいずれかを識別可能に重畳したガイドマップを含むことを特徴とする端末装置。
【発明の詳細な説明】
【技術分野】
【０００１】
本発明は、電動車両などのユーザがバッテリステーションでバッテリ装置を交換するバッテリ交換サービスにおいて、バッテリステーションやバッテリ装置を管理するバッテリ管理システムおよびバッテリ管理方法、ならびにユーザが所持する端末装置に関するものである。
【背景技術】
【０００２】
近年、排気ガスによる大気汚染や燃料コストの問題を解消する観点から、電動バイクなどの電動車両が注目されている。このような電動車両では、バッテリ装置の性能向上により航続距離が伸びているが、バッテリ装置の充電が支障となって、長時間の連続走行ができないという不便がある。【０００３】
そこで、このような不便を解消するため、従来、電動車両に、着脱可能なバッテリ装置を搭載して、バッテリステーションにおいて、残量が少なくなったバッテリ装置と充電済みのバッテリ装置とを交換できるようにして、長時間の連続走行を実現するバッテリ交換サービスが知られている（特許文献１参照）。
【先行技術文献】
【特許文献】
【０００４】
【特許文献１】特表２０１４−５２９１１８号公報
【発明の概要】
【発明が解決しようとする課題】
【０００５】
さて、従来の技術では、ＧＰＳ（Global Positioning System）によりユーザの現在位置を取得し、このユーザの現在位置に基づいて、ユーザの近くにあるバッテリステーションの位置をユーザに案内するとともに、そのバッテリステーションにおけるバッテリ装置の可用性に関する情報、具体的には、そのバッテリステーションでバッテリ交換ができるか、また、何個のバッテリ装置を交換できるかという稼動状況に関する情報をユーザに提供するようにしている。【０００６】
しかしながら、従来の技術のように、ユーザの現在位置に基づいて、ユーザの近くにあるバッテリステーションの位置をユーザに案内するのみでは、バッテリステーションの案内としては不十分であった。例えば、遠くの目的地まで向かう経路の途中にあるバッテリステーションの位置を確認したいといった要望があるが、従来の技術では、このような要望に対して何ら配慮されておらず、ユーザの希望するエリアでのバッテリステーションの稼動状況をユーザが簡単に把握することができないという問題があった。【０００７】
そこで、本発明は、ユーザの現在位置に関係なく、ユーザの希望するエリアでのバッテリステーションの稼動状況をユーザが簡単に把握することができるバッテリ管理システム、バッテリ管理方法および端末装置を提供することを主な目的とする。
【課題を解決するための手段】
【０００８】
本発明のバッテリ管理システムは、バッテリステーションに配置され、ユーザから返却されたバッテリ装置を収容して充電すると共に、返却されたバッテリ装置と交換で充電済みのバッテリ装置をユーザに貸し出す複数のバッテリ交換装置と、この複数のバッテリ交換装置とネットワークを介して接続されて、前記バッテリ交換装置でのバッテリ装置の交換状況を管理するサーバ装置と、ユーザが所持し、前記サーバ装置とネットワークを介して接続された端末装置と、を有するバッテリ管理システムであって、前記サーバ装置は、前記端末装置でのユーザの操作に応じて、指定エリアのマップ情報を取得し、前記指定エリア内に位置する前記バッテリステーションの閉鎖時期および保守休止期間の少なくともいずれかに関する稼動状況情報を取得し、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。【０００９】
また、本発明のバッテリ管理方法は、サーバ装置において、ユーザがバッテリ装置の交換を行うバッテリステーションおよびバッテリ装置を管理するバッテリ管理方法であって、ユーザが所持する端末装置でのユーザの操作に応じて、指定エリアのマップ情報を取得し、前記指定エリア内に位置する前記バッテリステーションの閉鎖時期および保守休止期間の少なくともいずれかに関する稼動状況情報を取得し、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。【００１０】
また、本発明の端末装置は、ユーザが所持し、サーバ装置とネットワークを介して接続された端末装置であって、前記サーバ装置から配信される情報に基づいて、バッテリステーションの位置をユーザに案内する案内画面を表示し、前記案内画面は、ユーザが指定した指定エリアのマップ上に、前記バッテリステーションの位置を示す定型画像を、当該バッテリステーションの閉鎖および保守休止の少なくともいずれかを識別可能に重畳したガイドマップを含む構成とする。
【発明の効果】
【００１１】
本発明によれば、ガイドマップにより、ユーザの希望するエリアにおけるバッテリステーションの位置をユーザに案内することができる。さらに、定型画像により、バッテリステーションの閉鎖や保守休止の状況をユーザに案内することができる。これにより、ユーザの現在位置に関係なく、ユーザの希望するエリアでのバッテリステーションの稼動状況を把握することができる。
【図面の簡単な説明】
【００１２】
【図１】本実施形態に係るバッテリ共用システムの全体構成図
【図２】バッテリ交換機３、管理サーバ４、およびユーザ端末５の概略構成を示すブロック図
【図３】管理サーバ４で用いられる定型マップ管理テーブルおよびバッテリステーション管理テーブルの登録内容を示す説明図
【図４】ユーザ端末５に表示されるログイン画面を示す説明図
【図５】ユーザ端末５に表示される検索画面を示す説明図
【図６】ユーザ端末５に表示されるステーション案内画面を示す説明図
【図７】ステーション案内画面におけるバッテリステーションのアイコン９２の遷移状況を示す説明図
【図８】ユーザ端末５に表示される通知一覧画面を示す説明図
【図９】ユーザ端末５に表示される通知詳細画面を示す説明図
【図１０】バッテリステーション情報提供時のユーザ端末５および管理サーバ４の動作手順を示すシーケンス図
【発明を実施するための形態】
【００１３】
前記課題を解決するためになされた第１の発明は、バッテリステーションに配置され、ユーザから返却されたバッテリ装置を収容して充電すると共に、返却されたバッテリ装置と交換で充電済みのバッテリ装置をユーザに貸し出す複数のバッテリ交換装置と、この複数のバッテリ交換装置とネットワークを介して接続されて、前記バッテリ交換装置でのバッテリ装置の交換状況を管理するサーバ装置と、ユーザが所持し、前記サーバ装置とネットワークを介して接続された端末装置と、を有するバッテリ管理システムであって、前記サーバ装置は、前記端末装置でのユーザの操作に応じて、指定エリアのマップ情報を取得し、前記指定エリア内に位置する前記バッテリステーションの閉鎖時期および保守休止期間の少なくともいずれかに関する稼動状況情報を取得し、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。
【００１４】
これによると、ガイドマップにより、ユーザの希望するエリアにおけるバッテリステーションの位置をユーザに案内することができる。さらに、定型画像により、バッテリステーションの閉鎖や保守休止の状況をユーザに案内することができる。これにより、ユーザの現在位置に関係なく、ユーザの希望するエリアでのバッテリステーションの稼動状況を把握することができる。
【００１５】
また、第２の発明は、前記サーバ装置は、前記バッテリステーションごとの前記稼動状況情報を蓄積し、前記バッテリステーションの位置情報に基づいて、前記指定エリア内に位置する前記バッテリステーションの前記稼動状況情報を選択する構成とする。
【００１６】
これによると、バッテリステーションの稼動状況を適切にユーザに案内することができる。
【００１７】
また、第３の発明は、前記サーバ装置は、前記端末装置でのユーザの操作に応じて、指定日時に関する情報を取得し、前記指定日時に基準にした前記バッテリステーションの開設状況を反映した表示形態で前記定型画像を表示する構成とする。
【００１８】
これによると、ユーザが指定した日時を基準にして、バッテリステーションの稼動状況をユーザに案内することができる。これにより、ユーザの利用予定に応じた適切な案内を行うことができる。
【００１９】
また、第４の発明は、前記サーバ装置は、前記指定日時が前記閉鎖時期以降である場合、または、前記指定日時が前記保守休止期間内である場合に、前記定型画像の表示形態を変更する構成とする。
【００２０】
これによると、最近閉鎖されたバッテリステーションや、現在保守休止中のバッテリステーションをユーザに案内することができる。
【００２１】
また、第５の発明は、前記定型画像の表示形態の変更は、表示色、点滅、文字の付加、および図形の付加の少なくともいずれかである構成とする。
【００２２】
これによると、最近閉鎖されたバッテリステーションや、現在保守休止中のバッテリステーションを、ユーザが即座に把握することができる。
【００２３】
また、第６の発明は、サーバ装置において、ユーザがバッテリ装置の交換を行うバッテリステーションおよびバッテリ装置を管理するバッテリ管理方法であって、ユーザが所持する端末装置でのユーザの操作に応じて、指定エリアのマップ情報を取得し、前記指定エリア内に位置する前記バッテリステーションの閉鎖時期および保守休止期間の少なくともいずれかに関する稼動状況情報を取得し、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。
【００２４】
これによると、第１の発明と同様に、ユーザの現在位置に関係なく、ユーザの希望するエリアでのバッテリステーションの稼動状況をユーザが簡単に把握することができる。
【００２５】
また、第７の発明は、ユーザが所持し、サーバ装置とネットワークを介して接続された端末装置であって、前記サーバ装置から配信される情報に基づいて、バッテリステーションの位置をユーザに案内する案内画面を表示し、前記案内画面は、ユーザが指定した指定エリアのマップ上に、前記バッテリステーションの位置を示す定型画像を、当該バッテリステーションの閉鎖および保守休止の少なくともいずれかを識別可能に重畳したガイドマップを含む構成とする。
【００２６】
これによると、第１の発明と同様に、ユーザの現在位置に関係なく、ユーザの希望するエリアでのバッテリステーションの稼動状況をユーザが簡単に把握することができる。
【００２７】
以下、本発明の実施の形態を、図面を参照しながら説明する。
【００２８】
図１は、本実施形態に係るバッテリ共用システムの全体構成図である。
【００２９】
このバッテリ共用システムは、電動バイクなどの電動車両１に搭載するバッテリパック２（バッテリ装置）を複数のユーザで共用するサービス（バッテリ交換サービス）を提供するものであり、バッテリ交換機３（バッテリ交換装置）と、管理サーバ４（サーバ装置）と、ユーザ端末５（端末装置）と、管理端末６と、保守端末７と、を備えている。
【００３０】
バッテリ交換機３、管理サーバ４、ユーザ端末５、管理端末６、および保守端末７はインターネットなどのネットワークを介して接続されている。なお、バッテリ交換機３およびユーザ端末５は、移動体通信ネットワークや無線ＬＡＮなどの無線通信でネットワーク接続される。
【００３１】
電動車両１は、バッテリパック２を搭載し、バッテリパック２の電力により走行する。図１に示す例では、電動車両１を電動バイクとしたが、４輪の自動車でもよい。また、車道走行が前提となっていないモビリティ装置である電動車椅子、電動カート、テーマパークやゴルフ場等での乗用カートであってもよい。
【００３２】
バッテリ交換機３は、ユーザから返却されたバッテリパック２を収容して充電すると共に、返却されたバッテリパック２と交換で充電済みのバッテリパック２をユーザに貸し出す。このバッテリ交換機３は、コンビニやガソリンスタンドなどの施設（店舗）に併設されたバッテリステーションに配置される。また、１箇所のバッテリステーションに複数のバッテリ交換機３が設置される。
【００３３】
管理サーバ４は、バッテリ交換サービスに加入してバッテリパック２を使用する人物をユーザ（会員）として登録し、バッテリパック２とその貸出先のユーザとを紐付けて管理する。また、管理サーバ４は、バッテリ交換機３でのバッテリパック２の交換状況を管理する。また、管理サーバ４は、バッテリ交換機３の状態（オンラインか否か）や、このバッテリ交換機３に収容されたバッテリパック２の状態（充電済みか否か）を監視して、バッテリ交換機３やバッテリパック２の状態情報を管理端末６や保守端末７に配信する。また、管理サーバ４は、バッテリステーションの稼動状況などに関する情報をユーザ端末５に配信する。
【００３４】
ユーザ端末５は、スマートフォンやタブレット端末などであり、電動車両１のユーザが所持する。このユーザ端末５では、管理サーバ４から配信される情報に基づいて各種の画面を表示し、これらの画面により、バッテリステーションの位置や稼動状況をユーザに案内し、また、バッテリ交換の予約を行うことができる。
【００３５】
管理端末６は、ユーザに接客する施設や管理センタなどに設置され、管理者が操作する。この管理端末６では、管理者がユーザ登録の操作を行うことができる。また、管理者が管理サーバ４から配信される情報を閲覧することができる。
【００３６】
保守端末７は、メンテナンス業務を担当する専用の施設や、バッテリステーションが設けられた店舗などの施設に設置され、メンテナンス担当者が操作する。この保守端末７では、メンテナンス担当者が管理サーバ４から配信される情報を閲覧することができる。
【００３７】
なお、本実施形態では、電動車両１に搭載されるバッテリパック２を例にして説明するが、バッテリパック２が搭載されるバッテリ搭載装置は電動車両１に限定されず、例えば可搬型の給電装置などでもよい。
【００３８】
次に、バッテリ交換機３、管理サーバ４、およびユーザ端末５の概略構成について説明する。図２は、バッテリ交換機３、管理サーバ４、およびユーザ端末５の概略構成を示すブロック図である。
【００３９】
バッテリ交換機３は、センサ３１と、駆動部３２と、充電部３３と、通信部３４と、入出力部３５と、表示部３６と、記憶部３７と、制御部３８と、を備えている。
【００４０】
センサ３１は、例えば、人感センサで構成することができ、バッテリ交換に訪れた人物を検知する。
【００４１】
なお、バッテリ交換に訪れたユーザを識別するユーザ認証を行うようにしてもよい。この場合、カメラの撮影画像から顔認証によりユーザを識別するようにしてもよい。また、ユーザが所持するＲＦＩＤ（radio frequency identifier）のタグや、非接触型ＩＣカードや、ＮＦＣ（Near field communication）の機能を備えたユーザ端末５との間の通信で、ユーザを識別するようにしてもよい。また、カメラの撮影画像から、バッテリパック２に添付された２次元コードを読み取ることで、ユーザがバッテリパック２を返却しようとしていることを検知するようにしてもよい。
【００４２】
駆動部３２は、制御部３８からの指示に応じて、バッテリパック２の返却および貸出のタイミングで開閉扉の開閉機構を駆動し、また、返却されたバッテリパック２を格納すると共に、ユーザに貸し出すバッテリパック２を排出する格納排出機構を駆動する。
【００４３】
充電部３３は、スロット２１（トレイ）を介してバッテリパック２を充電する。
【００４４】
通信部３４は、ネットワークを介して管理サーバ４と通信を行う。
【００４５】
入出力部３５は、バッテリパック２との間で情報の入出力を行い、例えば、バッテリパック２のシリアル番号やアラートや劣化情報などがバッテリパック２から入力される。
【００４６】
表示部３６は、ユーザにバッテリパック２の交換に関する案内を行う案内画面を表示する。
【００４７】
記憶部３７は、制御部３８を構成するプロセッサで実行されるプログラムなどを記憶する。
【００４８】
制御部３８は、プロセッサで構成され、バッテリ交換機３の各部を制御する。例えば、バッテリパック２の交換に関する制御、すなわち、駆動部３２を制御して、ユーザが返却したバッテリパック２を収容する動作や、充電済みのバッテリパック２をユーザに貸し出す動作を行わせる。特に、センサ３１によりユーザを検知すると、バッテリ交換動作を開始し、開閉扉を開いてユーザにバッテリパック２を返却させる。
【００４９】
また、制御部３８は、各スロットに装着されたバッテリパック２の充電状態および空き状態を監視し、その情報を管理サーバ４に報告する。これにより、管理サーバ４は、バッテリ交換機３でのバッテリパック２の充電状態および空き状態を管理することができる。
【００５０】
ここで、電動車両１には、１つまたは複数のバッテリパック２が搭載される。また、バッテリ交換機３は、複数（例えば８個）のバッテリパック２を収容し、電動車両１に複数のバッテリパック２が搭載されている場合に、その複数のバッテリパック２を同時に交換する。なお、図１，図２に示す例では、電動車両１のバッテリパック２の搭載個数を２個としたが、搭載個数が１個の場合や３個以上の場合もある。
【００５１】
管理サーバ４は、通信部４１と、記憶部４２と、制御部４３と、を備えている。
【００５２】
通信部４１は、ネットワークを介して、バッテリ交換機３、ユーザ端末５、管理端末６、および保守端末７と通信を行う。
【００５３】
記憶部４２は、制御部４３を構成するプロセッサで実行されるプログラムを記憶する。また、記憶部４２は、ユーザ登録情報や、バッテリパック２とその貸出先のユーザとを紐付ける紐付け情報などの管理情報を記憶する。また、記憶部４２は、バッテリステーションごとの開設時期、閉鎖時期および保守休止期間に関する情報を記憶する。また、記憶部４２は、サービス対象エリアに含まれる複数のサブエリアごとに予め作成されたエリアマップ（定型マップ）に関する情報を記憶する。
【００５４】
制御部４３は、ユーザ管理部５１と、ステーション管理部５２と、バッテリ管理部５３と、ステーション情報提示部５４と、システム管理部５５と、通知管理部５６と、予約管理部５７と、を備えている。この制御部４３は、プロセッサで構成され、制御部４３の各部は、記憶部４２に記憶されたプログラムをプロセッサで実行することで実現される。
【００５５】
ユーザ管理部５１は、バッテリパック２を使用するユーザを管理する。例えば、管理者が、ユーザからの新規登録の申し込みを受け付けて、管理端末６を操作することで、ユーザの情報（ユーザＩＤ、氏名、住所、使用する電動車両の車種など）を登録する（ユーザ登録）。
【００５６】
ステーション管理部５２は、各バッテリステーション、および各バッテリステーションに設置されたバッテリ交換機３を管理する。具体的には、管理者が入力したバッテリステーションの開設、閉鎖、および保守休止（保守作業に伴う一時休止）に関する情報を管理する。また、ステーション管理部５２は、各バッテリステーションに配置されたバッテリ交換機３の状態（オンライン状態など）に関する情報をバッテリ交換機３から収集して管理する。また、ステーション管理部５２は、バッテリ交換機３に収容されたバッテリパック２の状態（充電状態、空き状態など）に関する情報をバッテリ交換機３から収集して管理する。
【００５７】
バッテリ管理部５３は、バッテリ交換機３に収容されたバッテリパック２や、ユーザに貸出中のバッテリパック２を管理する。
【００５８】
ステーション情報提示部５４は、バッテリステーションの情報をユーザに提示する。例えば、ユーザにバッテリステーションを案内するステーション案内画面に関する情報を生成してユーザ端末５に配信して、ステーション案内画面をユーザ端末５に表示させる。このステーション案内画面では、バッテリステーションの位置と、バッテリステーションで交換可能なバッテリパック２の個数とを案内する。また、本実施形態では、バッテリステーションの稼動状況、具体的には、開設、閉鎖および保守休止の状況を案内する。
【００５９】
このとき、各ユーザが使用する電動車両１のバッテリ構成に関する管理情報に基づいて、ユーザごとのバッテリ構成に適合したバッテリステーションを検索して、該当するバッテリステーションを案内画面に表示する。ここで、バッテリ構成とは、電動車両１のバッテリ搭載個数であり、電動車両１のバッテリ搭載個数以上の充電済みのバッテリパック２があるバッテリステーションを抽出して案内画面に表示する。
【００６０】
なお、管理情報としてのユーザ登録情報には、ユーザが使用する電動車両１の車種が登録されており、この電動車両１の車種からバッテリ構成を取得することができる。また、ログイン時に取得したユーザＩＤに基づいて、該当するユーザのバッテリ構成を取得すればよい。
【００６１】
また、本実施形態では、バッテリ交換サービスで運用されるバッテリパック２を１種類として、電動車両１のバッテリ構成をバッテリ搭載個数としたが、複数の種類のバッテリパック２をバッテリ交換サービスで運用するようにしてもよく、この場合、バッテリ構成は、バッテリ搭載個数の他に、バッテリパック２の種類も含むものとなる。
【００６２】
システム管理部５５は、システムの状態を監視して、システムの状態を管理者やメンテナンス担当者に提示する。例えば、システムの状態を表示する管理画面を生成して管理端末６や保守端末７に配信して、管理画面を管理端末６や保守端末７に表示させる。これにより、管理者やメンテナンス担当者がシステムの状態を閲覧することができる。
【００６３】
通知管理部５６は、ユーザに対する通知（通知）を管理する。具体的には、バッテリステーションの新設や閉鎖の案内や、バッテリステーションで実施される保守作業の案内や、ネットワークの障害などによりバッテリステーションでのバッテリ交換の予約ができない旨の案内などをユーザ端末５に配信する。なお、通知内容は管理者が入力する。このとき、通知事項ごとに、ダイジェスト情報および詳細情報を管理者が入力する。
【００６４】
予約管理部５７は、ユーザのバッテリ交換の予約を管理する。具体的には、ユーザがユーザ端末５で予約の操作を行うことで、バッテリ交換の予約を受け付ける。また、ユーザがユーザ端末５で予約のキャンセルの操作を行うことで、バッテリ交換の予約を取り消す。また、バッテリ交換の予約を受け付けた後に所定時間経過してもバッテリ交換が行われない場合には、バッテリ交換の予約を強制的に取り消す。
【００６５】
ユーザ端末５は、表示部６１と、操作部６２と、通信部６３と、記憶部６４と、制御部６５と、を備えている。
【００６６】
表示部６１は、各種の画面、例えば、バッテリステーションを案内する画面やバッテリ交換の予約を行う画面などを表示する。操作部６２は、表示部６１に表示された画面に対して各種の画面操作を行う。なお、表示部６１としての表示パネルと操作部６２としてのタッチパネルとを一体化したタッチパネルディスプレイで構成するようにしてもよい。
【００６７】
通信部６３は、ネットワークを介して管理サーバ４と通信を行う。
【００６８】
記憶部６４は、制御部６５を構成するプロセッサで実行されるプログラムなどを記憶する。
【００６９】
制御部６５は、プロセッサで構成され、バッテリステーションの案内やバッテリ交換の予約に係る各種の処理を行う。すなわち、操作部６２によるユーザの画面操作に応じて、管理サーバ４から配信される情報に基づいて、バッテリステーションの位置や稼動状況を案内する画面や、バッテリ交換の予約を行う画面などを表示部６１に表示する制御を行う。
【００７０】
次に、管理サーバ４で用いられる定型マップ管理テーブルおよびバッテリステーション管理テーブルについて説明する。図３は、定型マップ管理テーブルおよびバッテリステーション管理テーブルの登録内容を示す説明図である。
【００７１】
管理サーバ４では、図３（Ａ）に示すように、定型マップ管理テーブルが記憶部４２に記憶されている。この定型マップ管理テーブルには、定型マップごとに、地名およびポスト番号が登録されている。この定型マップ管理テーブルを参照することで、ユーザが指定した地名またはポスト番号から、ユーザが案内を希望するエリアを含む定型マップを特定することができる。
【００７２】
また、管理サーバ４では、図３（Ｂ）に示すように、バッテリステーション管理テーブルが記憶部４２に記憶されている。このバッテリステーション管理テーブルには、バッテリステーションごとに、位置（緯度、経度）、開設時期（開設日）、閉鎖時期（閉鎖日）、および保守休止期間が登録されている。このバッテリステーション管理テーブルを参照することで、ユーザが指定した基準日時（指定日時）におけるバッテリステーションの稼動状況に関する情報を取得することができる。また、バッテリステーションの位置に基づいて、ユーザが案内を希望するエリアを含む定型マップに現れるバッテリステーションを特定することができる。
【００７３】
次に、ユーザ端末５に表示されるログイン画面について説明する。図４は、ログイン画面を示す説明図である。
【００７４】
このログイン画面は、ユーザ端末５が管理サーバ４にアクセスした際にユーザ端末５に表示される。なお、このログイン画面およびこれ以降の画面は、ユーザ端末５にインストールされたステーション案内のアプリケーション（例えば、ウェブブラウザ）により表示される。
【００７５】
このログイン画面には、ユーザＩＤの入力部７１と、パスワードの入力部７２と、ログインボタン７３が設けられている。ユーザがユーザＩＤおよびパスワードを入力してログインボタン７３を操作すると、管理サーバ４において、ユーザＩＤおよびパスワードに基づくユーザ認証が行われる。
【００７６】
ここで、ユーザ認証が成功すると、ユーザ端末５では、ログイン画面からメニュー画面（図示せず）に遷移し、このメニュー画面でバッテリステーション案内を選択する操作を行うと、検索画面（図５参照）に遷移する。
【００７７】
次に、ユーザ端末５に表示される検索画面について説明する。図５は、検索画面を示す説明図である。
【００７８】
この検索画面は、メニュー画面（図示せず）でバッテリステーション案内を選択する操作を行うことで表示される。
【００７９】
この検索画面には、基準日時入力部８１と、地名入力部８２と、ポスト番号入力部８３と、検索ボタン８４とが設けられている。
【００８０】
基準日時入力部８１では、検索条件として、ユーザが基準日時（日付）を入力することができる。なお、カレンダー画面などにより、日時を選択できるようにしてもよい。また、初期状態で現在の日時が表示され、ユーザが基準日時を指定しない場合には現在の日時が基準日時となる。地名入力部８２では、検索条件として、ユーザが地名を入力することができる。なお、プルダウンメニューなどにより、サービス対象エリア内の各地区を選択できるようにしてもよい。ポスト番号入力部８３では、検索条件として、ユーザがポスト番号を入力することができる。
【００８１】
ここで、ユーザが検索条件（基準日時、地名、ポスト番号）を入力して、検索ボタン８４を操作すると、管理サーバ４において、入力された検索条件に基づく定型マップ検索とバッテリステーション情報取得の各処理が行われ、この処理で取得した定型マップとバッテリステーションの位置情報および稼動状況情報とがユーザ端末５に送信され、ユーザ端末５では、ステーション案内画面（図６参照）が表示される。
【００８２】
なお、本実施形態では、地名やポスト番号に基づいて定型マップを絞り込むようにしたが、サービス対象エリアの全体マップから対象エリアをユーザが選択するようにしてもよい。
【００８３】
次に、ユーザ端末５に表示されるステーション案内画面について説明する。図６は、ステーション案内画面を示す説明図である。図７は、ステーション案内画面におけるバッテリステーションのアイコン９２の遷移状況を示す説明図である。
【００８４】
このステーション案内画面は、検索画面（図５参照）で検索条件（基準日時、地名、ポスト番号）を入力して検索ボタン８４を操作することで表示される。
【００８５】
このステーション案内画面には、エリアマップ９１上にバッテリステーションのアイコン９２（定型画像）を重畳したガイドマップが表示される。バッテリステーションのアイコン９２には、対応するバッテリステーションで交換可能なバッテリパック２の個数、すなわち、充電済みで貸出可能なバッテリパック２の個数が表示される。
【００８６】
なお、本実施形態では、現在の日時を基準日時としてステーション案内画面を表示させる他に、将来の任意の日時を基準日時に指定して、その基準日時におけるステーション案内画面を表示させることができるが、このように基準日時が現在の日時と異なる場合には、バッテリステーションで交換可能なバッテリパック２の個数の表示は行われない。また、基準日時が現在の日時と異なる場合に、交換可能なバッテリパック２の個数の代わりに、１日当たりの平均利用ユーザ数や過去の所定期間のバッテリパック２の交換実績に基づく混雑度（多い、普通、少ない）などの情報を付加してもよい。
【００８７】
エリアマップ９１は、サービス対象エリアに含まれる複数のサブエリアごとに予め作成された定型マップであり、記憶部４２に記憶されている。本実施形態では、検索条件としての地名またはポスト番号に該当するエリアの定型マップが、記憶部４２に記憶された複数の定型マップから選択される。なお、管理サーバ４において、エリアマップ９１（定型マップ）の情報を保持せず、地図配信システムから必要なエリアのマップ情報を取得するようにしてもよい。また、地図配信システムを利用して、記憶部４２に記憶された定型マップを定期的に更新するようにしてもよい。
【００８８】
また、このステーション案内画面では、バッテリステーションのアイコン９２を操作（例えばタップ）すると、対応するバッテリステーションに関する詳細な情報（所在地や連絡先など）が表示される。
【００８９】
また、このステーション案内画面では、ユーザが必要個数のバッテリ交換ができるか否かに応じて、バッテリステーションのアイコン９２の表示形態が変化する。具体的には、貸出可能なバッテリパック２がない場合や、ユーザのバッテリ構成に適合しない場合には、バッテリ交換が可能な通常モードの色（例えば青色）と異なる色（例えばグレー）でアイコン９２が表示される。
【００９０】
さらに、このステーション案内画面では、ユーザが指定した基準日時におけるバッテリステーションの稼動状況、具体的には、開設、閉鎖、および保守休止の状況に応じて、バッテリステーションのアイコン９２の表示形態が変化し、バッテリステーションの開設、閉鎖、および保守休止をユーザに案内する。
【００９１】
図７（Ａ）に示す例は、バッテリステーションが新規に開設される場合である。この場合、基準日時が、開設日を開始時点とした所定の告知期間（例えば１ヶ月）に入ると、バッテリステーションのアイコン９２が開設告知モードで表示され、告知期間を過ぎると、アイコン９２が通常モードの表示形態に遷移する。これにより、バッテリステーションの開設時期の新旧をユーザが識別することができる。
【００９２】
この開設告知モードでは、例えば、最近開設されたことを表す文字（例えば「Ｎｅｗ」）がアイコン９２に表示される。また、開設告知モードでは、通常モードの色（例えば青色）と異なる色（例えば赤色）でアイコン９２を表示するようにしてもよい。これにより、バッテリステーションが新規に開設されたことをユーザが簡単に把握することができる。
【００９３】
なお、開設前には、バッテリステーションのアイコン９２は表示されないが、表示形態を変更したアイコン９２を表示することで、バッテリステーションの新設の予告を行うようにしてもよい。すなわち、開設日を終了期日とした所定の告知期間（例えば１ヶ月）において、アイコン９２の表示形態を変更して、近日中にバッテリステーションが開設されることをユーザに案内するようにしてもよい。
【００９４】
図７（Ｂ）に示す例は、バッテリステーションが閉鎖される場合である。この場合、基準日時が、閉鎖日を開始時点とした所定の告知期間（例えば１ヶ月）に入ると、バッテリステーションのアイコン９２が、通常モードから閉鎖告知モードの表示形態に変化し、告知期間を過ぎると、アイコン９２は表示されない。
【００９５】
この閉鎖告知モードでは、例えば、アイコン９２がグレーアウトで表示され、また、ユーザが利用できないことを表すマーク、例えば×印の記号が付加される。これにより、行きつけのバッテリステーションが閉鎖されたことをユーザが即座に把握することができる。
【００９６】
なお、閉鎖前には、バッテリステーションのアイコン９２は通常モードで表示されるが、アイコン９２の表示形態を変更して、バッテリステーションの閉鎖の予告を行うようにしてもよい。すなわち、閉鎖日を終了期日とした所定の告知期間（例えば１ヶ月）において、アイコン９２の表示形態を変更して、近日中にバッテリステーションが閉鎖されることをユーザに案内するようにしてもよい。
【００９７】
図７（Ｃ）に示す例は、バッテリステーションが保守休止、すなわち、保守作業（工事や点検）に伴うサービスの一時休止の場合である。この場合、基準日時が保守休止期間に入ると、バッテリステーションのアイコン９２が、通常モードから保守告知モードに表示形態が変化し、保守休止期間を過ぎると、アイコン９２が通常モードの表示形態に戻る。
【００９８】
この保守告知モードでは、現在、保守作業で一時的に使用できないことを表すマーク、例えば工事中マーク（注意マーク）がアイコン９２に付加される。
【００９９】
なお、本実施形態では、バッテリステーションのアイコン９２の表示形態を変更する例として、文字や記号を表示したり、表示色を変更したりしたが、アイコン９２の表示形態の変更はこれらの例に限定されるものではない。例えば、アイコン９２に描画された線の種類（太線や点線など）を変更したり、アイコン９２の一部または全部を点滅させたりするようにしてもよい。
【０１００】
また、本実施形態では、バッテリステーションで交換可能なバッテリパック２の個数や、バッテリステーションの稼動状況（開設、閉鎖、および保守休止）に関する情報に基づいて、バッテリステーションのアイコン９２を生成して、そのアイコン９２をエリアマップ９１（定型マップ）上に重畳したガイドマップをステーション案内画面に表示するようにしたが、このガイドマップの生成は、管理サーバ４とユーザ端末５とのいずれで行うようにしてもよい。ガイドマップの生成をユーザ端末５で行う場合には、必要な情報、すなわち、エリアマップ９１（定型マップ）の情報と、バッテリステーションで交換可能なバッテリパック２の個数や、バッテリステーションの稼動状況（開設、閉鎖、および保守休止）に関する情報とを、管理サーバ４からユーザ端末５に送信すればよい。
【０１０１】
また、図６に示すように、ステーション案内画面には、インフォメーションボタン９３が設けられている。このインフォメーションボタン９３を操作すると、通知一覧画面（図８参照）に遷移する。
【０１０２】
次に、ユーザ端末５に表示される通知一覧画面について説明する。図８は、通知一覧画面を示す説明図である。
【０１０３】
この通知一覧画面は、ステーション案内画面（図６参照）でインフォメーションボタン９３を操作することで表示される。
【０１０４】
この通知一覧画面では、通知事項ごとのダイジェスト情報が一覧表示される。この通知一覧画面において、いずれかの通知事項を選択する操作を行うと、選択した通知事項に関する詳細通知画面（図９参照）に遷移する。
【０１０５】
次に、ユーザ端末５に表示される詳細通知画面について説明する。図９は、詳細通知画面を示す説明図である。
【０１０６】
この詳細通知画面は、通知一覧画面（図８参照）でいずれかの通知事項を選択する操作を行うことで表示される。
【０１０７】
この詳細通知画面では、通知一覧画面で選択した通知事項の詳細情報が表示される。なお、図９に示す例は、バッテリステーションの新設に関する通知の場合であるが、バッテリステーションの閉鎖や保守休止の場合も同様である。すなわち、閉鎖の場合には、閉鎖の日時や代替となるバッテリステーションの案内などに関する詳細情報が表示され、保守休止の場合には、工事の内容（期間など）などに関する詳細情報が表示される。
【０１０８】
このように本実施形態では、通知一覧画面（図８参照）に、バッテリステーションのダイジェスト情報が表示され、詳細通知画面（図９参照）に、バッテリステーションの詳細情報が表示されるため、バッテリステーションの稼動状況に関する変更内容をユーザが確認することができる。また、ステーション案内画面（図６参照）に、稼動状況に応じて表示形態が異なるアイコン９２が表示されるため、通知一覧画面や詳細通知画面を閲覧することなく、バッテリステーションの稼動状況をユーザが迅速に確認することができる。
【０１０９】
次に、バッテリステーション情報提供時のユーザ端末５および管理サーバ４の動作手順について説明する。図１０は、バッテリステーション情報提供時のユーザ端末５および管理サーバ４の動作手順を示すシーケンス図である。
【０１１０】
まず、ユーザ端末５では、ステーション案内のアプリケーションを起動すると、ログイン画面（図４参照）が表示される。このログイン画面において、ユーザがログインの操作を行うと、ログインのリクエストを管理サーバ４に送信する。
【０１１１】
管理サーバ４では、ユーザ端末５からのログインのリクエストを受信すると、そのリクエストに含まれるユーザＩＤおよびパスワードに基づいてユーザ認証を行い、ログインのレスポンスをユーザ端末５に送信する。
【０１１２】
ユーザ端末５では、ログインのレスポンスを管理サーバ４から受信すると、ユーザ認証が成功してログインが承認された場合には、メニュー画面（図示せず）を表示し、このメニュー画面において、ユーザがバッテリステーション案内を選択すると、検索画面（図５参照）に遷移する。この検索画面において、ユーザが検索条件（基準日時、地名、ポスト番号）を入力して検索を指示する操作を行うと、バッテリステーション案内のリクエストを管理サーバ４に送信する。
【０１１３】
管理サーバ４では、バッテリステーション案内のリクエストをユーザ端末５から受信すると、そのリクエストに含まれる検索条件（地名、ポスト番号）に基づいて、ユーザが希望するエリア（指定エリア）の定型マップ（マップ情報）を、定型マップ管理テーブル（図３（Ａ）参照）を参照して検索する。
【０１１４】
ここで、検索条件に該当する定型マップが見つかると、次に、その定型マップ上に位置するバッテリステーションの位置情報および稼動状況情報（開設時期、閉鎖時期、保守休止期間）を、バッテリステーション管理テーブル（図３（Ｂ）参照）を参照して取得する。このとき、リクエストに含まれる検索条件（基準日時）に基づいて、ユーザが希望する日時（指定日時）に関するバッテリステーションの稼動状況情報を取得する。
【０１１５】
次に、バッテリステーション案内のレスポンスをユーザ端末５に送信する。このレスポンスには、定型マップ情報と、バッテリステーションの位置情報（緯度・経度）および稼動状況情報と、バッテリパック２の充電状況に関する情報（充電済みのバッテリパック２の個数）と、が含まれる。
【０１１６】
ユーザ端末５では、バッテリステーション案内のレスポンスを管理サーバ４から受信すると、そのレスポンスに含まれる定型マップ情報と、バッテリステーションの位置情報および稼動状況情報と、バッテリパック２の充電状況に関する情報と、に基づいて、ステーション案内画面（図６参照）を表示する。このとき、バッテリステーションの稼動状況情報と、バッテリパック２の充電状況に関する情報と、に基づいて、バッテリステーションのアイコン９２を生成し、バッテリステーションの位置情報に基づいて、エリアマップ９１（定型マップ）上に、バッテリステーションのアイコン９２を重畳表示する。このステーション案内画面において、ユーザがインフォメーションボタン９３を操作すると、通知一覧のリクエストを管理サーバ４に送信する。
【０１１７】
管理サーバ４では、通知一覧のリクエストをユーザ端末５から受信すると、バッテリステーションごとのダイジェスト情報を含む通知一覧のレスポンスをユーザ端末５に送信する。
【０１１８】
ユーザ端末５では、通知一覧のレスポンスを管理サーバ４から受信すると、そのレスポンスに含まれるバッテリステーションごとのダイジェスト情報に基づいて、通知一覧画面（図８参照）を表示する。この通知一覧画面において、ユーザが通知事項を選択する操作を行うと、詳細通知のリクエストを管理サーバ４に送信する。
【０１１９】
管理サーバ４では、詳細通知のリクエストをユーザ端末５から受信すると、ユーザが選択した通知事項に関するバッテリステーション詳細情報を含む詳細通知のレスポンスをユーザ端末５に送信する。
【０１２０】
ユーザ端末５では、詳細通知のレスポンスを管理サーバ４から受信すると、そのレスポンスに含まれるバッテリステーションの詳細情報に基づいて、詳細通知画面（図９参照）を表示する。
【０１２１】
以上のように、本出願において開示する技術の例示として、実施形態を説明した。しかしながら、本開示における技術は、これに限定されず、変更、置き換え、付加、省略などを行った実施形態にも適用できる。また、上記の実施形態で説明した各構成要素を組み合わせて、新たな実施形態とすることも可能である。
【産業上の利用可能性】
【０１２２】
本発明に係るバッテリ管理システム、バッテリ管理方法および端末装置は、ユーザの現在位置に関係なく、ユーザの希望するエリアでのバッテリステーションの稼動状況をユーザが簡単に把握することができる効果を有し、電動車両などのユーザがバッテリステーションでバッテリ装置を交換するバッテリ交換サービスにおいて、バッテリステーションやバッテリ装置を管理するバッテリ管理システムおよびバッテリ管理方法、ならびにユーザが所持する端末装置などとして有用である。
【符号の説明】
【０１２３】
１  電動車両
２  バッテリパック
３  バッテリ交換機
４  管理サーバ
５  ユーザ端末
６  管理端末
７  保守端末
９１  エリアマップ
９２  アイコン（定型画像）
【図１】
2020179262.tif 000003
【図２】
2020179262.tif 000004
【図３】
2020179262.tif 000005
【図４】
2020179262.tif 000006
【図５】
2020179262.tif 000007
【図６】
2020179262.tif 000008
【図７】
2020179262.tif 000009
【図８】
2020179262.tif 000010
【図９】
2020179262.tif 000011
【図１０】
2020179262.tif 000012
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
バッテリステーションに配置され、ユーザから返却されたバッテリ装置を収容して充電すると共に、返却されたバッテリ装置と交換で充電済みのバッテリ装置をユーザに貸し出す複数のバッテリ交換装置と、
この複数のバッテリ交換装置とネットワークを介して接続されて、前記バッテリ交換装置でのバッテリ装置の交換状況を管理するサーバ装置と、
ユーザが所持し、前記サーバ装置とネットワークを介して接続された端末装置と、
を有するバッテリ管理システムであって、
前記サーバ装置は、
前記端末装置での前記バッテリステーションの案内を希望する日時、エリアを指定するユーザの操作に応じて、指定日時に関する情報および指定エリアのマップ情報を取得し、
更に、前記指定エリア内に位置する前記バッテリステーションの閉鎖時期および保守休止期間の少なくともいずれかに関する稼動状況情報を取得し、
前記指定日時に関する情報、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示することを特徴とするバッテリ管理システム。
【請求項２】
前記サーバ装置は、
前記バッテリステーションごとの前記稼動状況情報を蓄積し、
前記バッテリステーションの位置情報に基づいて、前記指定エリア内に位置する前記バッテリステーションの前記稼動状況情報を選択することを特徴とする請求項１に記載のバッテリ管理システム。
【請求項３】
前記サーバ装置は、
前記端末装置でのユーザの操作に応じて、指定日時に関する情報を取得し、
前記指定日時に基準にした前記バッテリステーションの開設状況を反映した表示形態で前記定型画像を表示することを特徴とする請求項１または請求項２に記載のバッテリ管理システム。
【請求項４】
前記サーバ装置は、
前記指定日時が前記閉鎖時期以降である場合、または、前記指定日時が前記保守休止期間内である場合に、前記定型画像の表示形態を変更することを特徴とする請求項３に記載のバッテリ管理システム。
【請求項５】
前記定型画像の表示形態の変更は、表示色、点滅、文字の付加、および図形の付加の少なくともいずれかであることを特徴とする請求項４に記載のバッテリ管理システム。
【請求項６】
サーバ装置において、ユーザがバッテリ装置の交換を行うバッテリステーションおよびバッテリ装置を管理するバッテリ管理方法であって、
ユーザが所持する端末装置での前記バッテリステーションの案内を希望する日時、エリアを指定するユーザの操作に応じて、指定日時に関する情報および指定エリアのマップ情報を取得し、
更に、前記指定エリア内に位置する前記バッテリステーションの閉鎖時期および保守休止期間の少なくともいずれかに関する稼動状況情報を取得し、
前記指定日時に関する情報、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示することを特徴とするバッテリ管理方法。
【請求項７】
ユーザが所持し、サーバ装置とネットワークを介して接続された端末装置であって、
ユーザがバッテリステーションの案内を希望する日時、エリアを指定すると、
指定日時に関する情報、指定エリアのマップ情報および稼動状況情報に基づいて、前記サーバ装置から配信される前記バッテリステーションの位置をユーザに案内する案内画面を表示し、
前記案内画面は、前記指定エリアのマップ上に、前記バッテリステーションの位置を示す定型画像を、当該バッテリステーションの閉鎖および保守休止の少なくともいずれかを識別可能に重畳したガイドマップを含むことを特徴とする端末装置。
【手続補正２】
【補正対象書類名】明細書
【補正対象項目名】０００８
【補正方法】変更
【補正の内容】
【０００８】
本発明のバッテリ管理システムは、バッテリステーションに配置され、ユーザから返却されたバッテリ装置を収容して充電すると共に、返却されたバッテリ装置と交換で充電済みのバッテリ装置をユーザに貸し出す複数のバッテリ交換装置と、この複数のバッテリ交換装置とネットワークを介して接続されて、前記バッテリ交換装置でのバッテリ装置の交換状況を管理するサーバ装置と、ユーザが所持し、前記サーバ装置とネットワークを介して接続された端末装置と、を有するバッテリ管理システムであって、前記サーバ装置は、前記端末装置での前記バッテリステーションの案内を希望する日時、エリアを指定するユーザの操作に応じて、指定日時に関する情報および指定エリアのマップ情報を取得し、更に、前記指定エリア内に位置する前記バッテリステーションの閉鎖時期および保守休止期間の少なくともいずれかに関する稼動状況情報を取得し、前記指定日時に関する情報、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。
【手続補正３】
【補正対象書類名】明細書
【補正対象項目名】０００９
【補正方法】変更
【補正の内容】
【０００９】
また、本発明のバッテリ管理方法は、サーバ装置において、ユーザがバッテリ装置の交換を行うバッテリステーションおよびバッテリ装置を管理するバッテリ管理方法であって、ユーザが所持する端末装置での前記バッテリステーションの案内を希望する日時、エリアを指定するユーザの操作に応じて、指定日時に関する情報および指定エリアのマップ情報を取得し、更に、前記指定エリア内に位置する前記バッテリステーションの閉鎖時期および保守休止期間の少なくともいずれかに関する稼動状況情報を取得し、前記指定日時に関する情報、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。
【手続補正４】
【補正対象書類名】明細書
【補正対象項目名】００１０
【補正方法】変更
【補正の内容】
【００１０】
また、本発明の端末装置は、ユーザが所持し、サーバ装置とネットワークを介して接続された端末装置であって、ユーザがバッテリステーションの案内を希望する日時、エリアを指定すると、指定日時に関する情報、指定エリアのマップ情報および稼動状況情報に基づいて、前記サーバ装置から配信される前記バッテリステーションの位置をユーザに案内する案内画面を表示し、前記案内画面は、前記指定エリアのマップ上に、前記バッテリステーションの位置を示す定型画像を、当該バッテリステーションの閉鎖および保守休止の少なくともいずれかを識別可能に重畳したガイドマップを含む構成とする。
【手続補正５】
【補正対象書類名】明細書
【補正対象項目名】００１３
【補正方法】変更
【補正の内容】
【００１３】
前記課題を解決するためになされた第１の発明は、バッテリステーションに配置され、ユーザから返却されたバッテリ装置を収容して充電すると共に、返却されたバッテリ装置と交換で充電済みのバッテリ装置をユーザに貸し出す複数のバッテリ交換装置と、この複数のバッテリ交換装置とネットワークを介して接続されて、前記バッテリ交換装置でのバッテリ装置の交換状況を管理するサーバ装置と、ユーザが所持し、前記サーバ装置とネットワークを介して接続された端末装置と、を有するバッテリ管理システムであって、前記サーバ装置は、前記端末装置での前記バッテリステーションの案内を希望する日時、エリアを指定するユーザの操作に応じて、指定日時に関する情報および指定エリアのマップ情報を取得し、更に、前記指定エリア内に位置する前記バッテリステーションの閉鎖時期および保守休止期間の少なくともいずれかに関する稼動状況情報を取得し、前記指定日時に関する情報、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。
【手続補正６】
【補正対象書類名】明細書
【補正対象項目名】００２３
【補正方法】変更
【補正の内容】
【００２３】
また、第６の発明は、サーバ装置において、ユーザがバッテリ装置の交換を行うバッテリステーションおよびバッテリ装置を管理するバッテリ管理方法であって、ユーザが所持する端末装置での前記バッテリステーションの案内を希望する日時、エリアを指定するユーザの操作に応じて、指定日時に関する情報および指定エリアのマップ情報を取得し、更に、前記指定エリア内に位置する前記バッテリステーションの閉鎖時期および保守休止期間の少なくともいずれかに関する稼動状況情報を取得し、前記指定日時に関する情報、前記マップ情報および前記稼動状況情報に基づいて、前記バッテリステーションの位置を示す定型画像を、当該バッテリステーションの閉鎖および保守休止の少なくともいずれかを識別可能に、前記指定エリアのマップ上に重畳したガイドマップを、前記端末装置に表示する構成とする。
【手続補正７】
【補正対象書類名】明細書
【補正対象項目名】００２５
【補正方法】変更
【補正の内容】
【００２５】
また、第７の発明は、ユーザが所持し、サーバ装置とネットワークを介して接続された端末装置であって、ユーザがバッテリステーションの案内を希望する日時、エリアを指定すると、指定日時に関する情報、指定エリアのマップ情報および稼動状況情報に基づいて、前記サーバ装置から配信される前記バッテリステーションの位置をユーザに案内する案内画面を表示し、前記案内画面は、前記指定エリアのマップ上に、前記バッテリステーションの位置を示す定型画像を、当該バッテリステーションの閉鎖および保守休止の少なくともいずれかを識別可能に重畳したガイドマップを含む構成とする。
【国際調査報告】
2020179262.tif 000013
2020179262.tif 000014
2020179262.tif 000015
2020179262.tif 000016